(57)【要約】      （修正有）【課題】定格のボルテージの出力をロードに与えることができるマイクロプロセッサ制御のボルテージ・レギュレータを提供する。【解決手段】マイクロプロセッサ１のインタフェースを有するゲートカレント制御体４を制御することで、安定した定格ボルテージの出力に達するボルテージ・レギュレータに用いられる。それは、マイクロプロセッサ１、トリガ制御体５、位相回転速度検出６、ボルテージ検出８、温度検出器７、電源再構成１１、電源供給器１０、ゲートカレント制御体４及び発電機３の組み合わせから成り、マイクロプロセッサ１がロード端の定格エネルギーの探知検出を介して、トリガ制御インタフェースがゲートカレント制御体４のオープン時点経由で、安定したエネルギー出力に達することでロード使用の供給に用いられることにより、エネルギー損耗及び汚染の低減を達成する。【選択図】図１
0003129446.tif 000002
【実用新案登録請求の範囲】
【請求項１】
発電機の回転速度とロード端のエネルギー検知に用いられ、演算処理のトリガ制御を経てゲートカレント制御体を演算の時間により作動させることで、発電機が発生のエネルギーを出力ロードに供給する、前記のゲートカレント制御体の作動時間はロードの大きさと発電機の回転速度により設定されるマイクロプロセッサと、
発電機の交流信号を直流信号に転換するのに用いる整流器と、
エンジンと連結し、他端がゲートカレント制御体に接続されてエネルギー発生に用いられ、ロード端の使用に供するもので、単相又は三相にできる発電機と、
それぞれ両端が発電機とロード端の間に接続され、第３端がトリガ制御経由でマイクロプロセッサに接続、マイクロプロセッサの探知検出を受け入れて、発電機のエネルギー出力をロード端に与えるのに用いるゲートカレントと、
マイクロプロセッサのレベル転換を受信し、ゲートカレント制御体に用いることで、発電機のエネルギーをゲートカレント制御体経由でロード端まで出力するトリガ制御と、
発電機のレベルをマイクロプロセッサのレベルへの転換に用い、並びに発電機からの回転速度からの検知を受け取る位相回転速度検出と、
ゲートカレント制御体の温度を検出することで常温の下で工作に有利である温度検出と、
ロード端のレベルをマイクロプロセッサのレベルへ転換するのに用い、マイクロプロセッサの検出を通して発電機に安定したエネルギーを出力できるボルテージ検出と、
発電機の発生したエネルギーの各種設備における消耗のロードと、
電力が新たにスタートした場合、マイクロプロセッサを最初の開始状態に電源再構成と、及びマイクロプロセッサの電力供給に用いる電源供器とから成り、
前記の構成の組み合わせを介して、マイクロプロセッサがロード端の定格エネルギーを検知検出した場合、トリガ制御を経由してゲートカレント制御体が適時にオープンすることで、安定したエネルギーを出力しロード端へ供給することができるように構成されたことを特徴とするマイクロプロセッサ制御のボルテージ・レギュレータ。
【請求項２】
上記マイクロプロセッサが発電機の回転速度変化とロードの大きさを介して演算され、ゲートカレント制御器の導通時間点を制御することで、発電機が実際のロード定格エネルギーの出力により、損耗の減少及び汚染降下の効能に達することを特徴とする請求項１に記載のマイクロプロセッサ制御のボルテージ・レギュレータ。
【考案の詳細な説明】
【技術分野】
【０００１】
本考案はマイクロプロセッサ制御のボルテージ・レギュレータに関するものであり、特にマイクロプロセッサを利用してゲートカレント制御体を制御して、安定した出力ボルテージが得られるボルテージ・レギュレータに用いるものであり、それは発電機（例えば、モーターサイクル）とロード端との間に設けられ、そして、発電機の回転速度が高ければ高いほど、発電のエネルギー（電力）がより一層高いので、マイクロプロセッサ経由でロード端のエネルギーを検出することで、ゲートカレント制御体のオープンする時間の検出に用いられ、安定した電力出力がボルテージ・レギュレータに達し、並びに発電機の損耗を減少し、汚染降下の効能に達成することができるようにしたマイクロプロセッサ制御のボルテージ・レギュレータに関するものである。
【背景技術】
【０００２】
接するに、社会の繁栄発展につれて種々の交通手段も進歩している。このうち、自動車、飛行機等は数量が多いために、エネルギー損耗及び汚染も一番多い。このため、今日のエネルギー欠乏において、どのようにしてエネルギー損耗の減少及び汚染を低減するかは重大な問題である。
【０００３】
図４及び５に示すように、発電機２０によって生成する電力は整流経由の後にボルテージを発生してロードの使用に供給する。この時、ロードが要する電力は大又は小をとわず、発電機２０が発生された電力を全部出力して供給し、もし、ロード端が余分の電力を必要としない場合には、バイパスの短絡経由で発電機２０に流れる。このような循環で発電機２０はエネルギーの空費、かつ、発熱を醸成し、並びに発電機２０本体の磁気抵抗（内部抵抗）でけん引を発生するエンジンのエネルギーが大きいほど、エンジンが更に多くの油消耗を要する。例えば、エンジンの回転速度が５０００rpm の時、発電機に１５Ａの出力があって、しかもロード端は僅か１Ａを使用のみで、その余りの１４Ａは発電機２０に流れ返ることで相当に大きい熱エネルギーが発生し、大なる油消耗の浪費を醸成し、之によって環境汚染も大となる。
【考案の開示】
【考案が解決しようとする課題】
【０００４】
本考案の目的は定格のボルテージの出力をロードに与えることができるマイクロプロセッサ制御のボルテージ・レギュレータを提供する。
【０００５】
本考案の他の目的はロードエネルギーの大きさと発電機の回転速度変化によって作動するマイクロプロセッサ制御のボルテージ・レギュレータを提供する。
【０００６】
本考案の更に他の目的は油の消耗及び汚染が減少できるマイクロプロセッサ制御のボルテージ・レギュレータを提供する。
【課題を解決するための手段】
【０００７】
本考案は上記目的を達成するために提案せられたものであり、発電機の回転速度とロード端のエネルギー検知に用いられ、演算処理のトリガ制御を経てゲートカレント制御体を演算の時間により作動させることで、発電機が発生のエネルギーを出力ロードに供給する、前記のゲートカレント制御体の作動時間はロードの大きさと発電機の回転速度により設定されるマイクロプロセッサと、発電機の交流信号を直流信号に転換するのに用いる整流器と、エンジンと連結し、他端がゲートカレント制御体に接続されてエネルギー発生に用いられ、ロード端の使用に供するもので、単相又は三相にできる発電機と、それぞれ両端が発電機とロード端の間に接続され、第３端がトリガ制御経由でマイクロプロセッサに接続、マイクロプロセッサの探知検出を受け入れて、発電機のエネルギー出力をロード端に与えるのに用いるゲートカレントと、マイクロプロセッサのレベル転換を受信し、ゲートカレント制御体に用いることで、発電機のエネルギーをゲートカレント制御体経由でロード端まで出力するトリガ制御と、発電機のレベルをマイクロプロセッサのレベルへの転換に用い、並びに発電機からの回転速度からの検知を受け取る位相回転速度検出と、ゲートカレント制御体の温度を検出することで常温の下で工作に有利である温度検出と、ロード端のレベルをマイクロプロセッサのレベルへ転換するのに用い、マイクロプロセッサの検出を通して発電機に安定したエネルギーを出力できるボルテージ検出と、発電機の発生したエネルギーの各種設備における消耗のロードと、電力が新たにスタートした場合、マイクロプロセッサを最初の開始状態に電源再構成と、及びマイクロプロセッサの電力供給に用いる電源供器とから成り、前記の構成の組み合わせを介して、マイクロプロセッサがロード端の定格エネルギーを検知検出した場合、トリガ制御を経由してゲートカレント制御体が適時にオープンすることで、安定したエネルギーを出力しロード端へ供給することができるように構成されたことを特徴とするマイクロプロセッサ制御のボルテージ・レギュレータ、及び、上記マイクロプロセッサが発電機の回転速度変化とロードの大きさを介して演算され、ゲートカレント制御器の導通時間点を制御することで、発電機が実際のロード定格エネルギーの出力により、損耗の減少及び汚染降下の効能に達することを特徴とする請求項１に記載のマイクロプロセッサ制御のボルテージ・レギュレータを提供するものである。
【考案の効果】
【０００８】
本考案は、定格のボルテージの出力をロードに付与し、油の消耗及び汚染が減少できるマイクロプロセッサ制御のボルテージ・レギュレータを提供できた。
【考案を実施するための最良の形態】
【０００９】
本考案は、定格のボルテージの出力をロードに付与し、油の消耗及び汚染が減少できるマイクロプロセッサ制御のボルテージ・レギュレータを提供すると云う目的を達成するために、発電機の回転速度とロード端のエネルギー検知に用いられ、演算処理のトリガ制御を経てゲートカレント制御体を演算の時間により作動させることで、発電機が発生のエネルギーを出力ロードに供給する、前記のゲートカレント制御体の作動時間はロードの大きさと発電機の回転速度により設定されるマイクロプロセッサと、発電機の交流信号を直流信号に転換するのに用いる整流器と、エンジンと連結し、他端がゲートカレント制御体に接続されてエネルギー発生に用いられ、ロード端の使用に供するもので、単相又は三相にできる発電機と、それぞれ両端が発電機とロード端の間に接続され、第３端がトリガ制御経由でマイクロプロセッサに接続、マイクロプロセッサの探知検出を受け入れて、発電機のエネルギー出力をロード端に与えるのに用いるゲートカレントと、マイクロプロセッサのレベル転換を受信し、ゲートカレント制御体に用いることで、発電機のエネルギーをゲートカレント制御体経由でロード端まで出力するトリガ制御と、発電機のレベルをマイクロプロセッサのレベルへの転換に用い、並びに発電機からの回転速度からの検知を受け取る位相回転速度検出と、ゲートカレント制御体の温度を検出することで常温の下で工作に有利である温度検出と、ロード端のレベルをマイクロプロセッサのレベルへ転換するのに用い、マイクロプロセッサの検出を通して発電機に安定したエネルギーを出力できるボルテージ検出と、発電機の発生したエネルギーの各種設備における消耗のロードと、電力が新たにスタートした場合、マイクロプロセッサを最初の開始状態に電源再構成と、及びマイクロプロセッサの電力供給に用いる電源供器とから成り、前記の構成の組み合わせを介して、マイクロプロセッサがロード端の定格エネルギーを検知検出した場合、トリガ制御を経由してゲートカレント制御体が適時にオープンすることで、安定したエネルギーを出力しロード端へ供給することができるように構成されたことを特徴とするマイクロプロセッサ制御のボルテージ・レギュレータを提案することにより実現した。
【実施例】
【００１０】
以下、本考案の好適な実施例を図１乃至図３に従って説明する。
【００１１】
図１に示すように、本考案のマイクロプロセッサ制御のボルテージ・レギュレータは、発電機３の回転速度及びロード端のエネルギーを検出するに用いられ、並びに演算処理をしてトリガ制御体５のインタフェースでゲートカレント制御体４が演算の時間で作動することで、発電機３が発生したエネルギーをロード端に出力して使用する。前記のゲートカレント制御体４の作動時間はロードの大きさと発電機３の回転速度により設定されるものと、
発電機３の交流信号を直流信号に整流させる整流器２と、
エンジンと連結されエネルギーの発生に用い、ロード端の使用に供する。単相又は三相とすることができて、他端がゲートカレント制御体４に接続した発電機３と、
それぞれ両端を発電機３とロード端の間に接続し、第三端はトリガ制御体５の経由でマイクロプロセッサ１に接続し、そして、マイクロプロセッサ１の探知検出を受け取って作動し、発電機３のエネルギー出力の制御に用いられ、ロード端に供給して使用させるゲートカレント制御体４と、
マイクロプロセッサ１のレベル転換を受け取って、ゲートカレント制御体４を駆動することで、発電機３のエネルギーをゲートカレント制御体４経由でロード端へ出力するトリガ制御体５と、
発電機３のレベルをマイクロプロセッサ処理のレベルに転換に用いられ、並びにマイクロプロセッサ１で発電機３の回転速度の探知検出を受け取る位相回転速度検出６と、
ゲートカレント制御体４の温度を検出することで、ゲートカレント制御体４が正常な温度の下で作動できる温度検出器７と、
ロード端のレベルをマイクロプロセッサ処理のレベルに転換することに用い、マイクロプロセッサ１の検出を通して、発電機３に安定した定格エネルギーが出力できるボルテージ検出８と、
発電機３が発生するエネルギーを消耗する各種の設備、例えば自動車のヘッドライト、サイドマーカランプ、イグナイタ、ブレーキランプ等のロード９と、
マイクロプロセッサ１に電力を供給するのに用いる電源供給器１０と、及び
電源が新たに起動した時に、マイクロプロセッサ１を新たに最初開始状態へ設定する電源再構成装置１１とを有する。
【００１２】
前記の構成組み合わせを介して電源がオープンした場合に、発電機３が回動しエネルギーの発生を開始する。ロード端は必要によりその設備をオープンし、このとき電源の再構成はマイクロプロセッサ１を起動させる。マイクロプロセッサ１は発電機３の回転速度変化とロードが要する定格エネルギーを探知検出し、並びに演算処理を行い、トリガ制御体５にトリガ信号を発生させゲートカレント制御体４を導通（ＯＮ）とする。ゲートカレント４が導通した後、発電機３に発生したエネルギーをゲートカレント制御体４経由で出力、並びにロード上の設備に供給使用させる。ロード上に要する定格エネルギーの大きさ及び発電機３の回転速度の高低変化は、エネルギーの消耗の大きさに影響する。このデータは先に演算を完成し、並びに、マイクロプロセッサ１に設定している。このため、マイクロプロセッサ１はロードの大きさと発電機３の回転速度変化で、ゲートカレント制御体４の導通時点の演算制御をつくることで、発電機３を実際のロードの定格エネルギー消耗により出力し、発電機３の油消耗の損失並びに該油消耗の減少により環境汚染を低減することができる。
【００１３】
前述したように、本考案のマイクロプロセッサ制御のゲートカレントは、その発電機３に配合することでモータサイクルの電力システム中に装設できて、単相又は三相に形成できる。図２に示す本考案の三相全波整流の説明図参照。われらがモータサイクルを起動した場合、発電機３はエンジンの起動に沿って電力を発生する。その電力の高低はその回転速度の大きさにより定める。回転速度が大きければ発生する電力が大きく、逆の場合には比較的低い。ロード端に位置する設備例えばモータサイクルのヘッドライト、サイドマーカランプ、ブレーキランプ、方向ランプ又はイグナイタ等、要求に応じて前記の設備をオープンすると、一設備をオープンする毎に電力の負荷が増加するので、このため発電機３が発生する電力は有効にかつ安定してロードに供給使用させる。ゲートカレント制御体４が適時にオープンするのは必要である。
【００１４】
図２に示すように、本考案の実施例はゲートカレント制御体４がＳＣＲ（シリコン制御整流器）を採用して説明している。その陽極（Ａ）と陰極（Ｋ）はそれぞれ発電機３とロード端の間に接続している。しかも、ゲート極（Ｇ）はトリガ制御体５を経由でマイクロプロセッサ１に接続する。そして、モータサイクルが起動の場合、マイクロプロセッサ１は即時に発電機３の回転速度を検出、並びにロード端が必要とする定格電力を検出することで、それを演算処理並びにトリガ制御体５でゲートカレント制御体４の陽極（Ａ）、陰極（Ｋ）極間を導通する。発電機３の電力はゲートカレント制御体４経由で出力、ロード端が必要とする電力を供給する。前記電力の大きさはロード端が要する定格電力に即応して出力させる。これは発電機３が発生する電力の高低とは無関係であるので、このため、いかなる電力をも浪費しない。これは、発電機３の回転速度とロードの大きさの値が演算を経てマイクロプロセッサ１上に設定することで、モータサイクルが起動した時に、マイクロプロセッサ１によりその設定値を探知検出し、更にトリガ制御体５でゲートカレント制御体４が適時に導通時間をオープンする。
【００１５】
図３に示すようなゲートカレント制御体４の波形説明図において、発電機３が起動した場合に、回転速度が高いほど、その発生する電力もより一層大きい。ゲートカレント制御体４がオープンする時間はますます小さくなる。逆に、ますます大きくなることで、安定した電力を出力してロードの使用に供することができて、余分の電力を浪費しない。当然、発電機３にもフィードバックしない。発電機３の不当な損耗及びエンジンの油消耗は環境を汚染することになる。
【００１６】
尚、本考案は、本考案の精神を逸脱しない限り種々の改変を為すことができ、そして、本考案が該改変されたものに及ぶことは当然である。
【図面の簡単な説明】
【００１７】
【図１】本考案の実施例のブロック図。
【図２】本考案の三相整流の説明図。
【図３】本考案のゲートカレント制御体の波形説明図。
【図４】従来技術の解説図。
【図５】従来技術の三相整流説明図。
【符号の説明】
【００１８】
１          マイクロプロセッサ
２          整流器
３，２０    発電機
４          ゲートカレント制御体
５          トリガ制御体
６          位相の回転速度検出
７          温度検出器
８          ボルテージ検出
９          ロード
１０          電源供給器
１１          電源再構成
Ｖ          ボルテージ
Ａ          陽極
Ｋ          陰極
ｔ          時間
Ｇ          ゲート極
【図１】
0003129446.tif 000003
【図２】
0003129446.tif 000004
【図３】
0003129446.tif 000005
【図４】
0003129446.tif 000006
【図５】
0003129446.tif 000007